(57)【要約】【課題】インクにより記録がなされた被記録媒体における該インクの乾燥不良を、ユーザーに多大な負荷をかけることなく簡単に抑制する。【解決手段】搬送部１１により搬送方向に搬送される被記録媒体Ｐに向けて記録ヘッド４から吐出されたインクを乾燥させる乾燥部７と、乾燥部７より前記搬送方向下流に設けられ、被記録媒体Ｐの前記インクの乾燥状態を検出する乾燥状態検出部３１と、前記乾燥状態が予め定められた閾値に達しない場合に、被記録媒体Ｐを前記搬送方向とは逆方向に逆搬送するよう搬送部１１を制御する制御部１４と、を備える。【選択図】図１
2015066821.tif 000002
【特許請求の範囲】
【請求項１】
搬送部により搬送方向に搬送される被記録媒体に向けて記録ヘッドから吐出されたインクを乾燥させる乾燥部と、
前記乾燥部より前記搬送方向下流に設けられ、前記被記録媒体の前記インクの乾燥状態を検出する乾燥状態検出部と、
前記乾燥状態が予め定められた閾値に達しない場合に、前記被記録媒体を前記搬送方向とは逆方向に逆搬送するよう前記搬送部を制御する制御部と、
を備えることを特徴とする記録装置。
【請求項２】
請求項１に記載の記録装置において、
前記制御部は、前記被記録媒体を逆搬送する際及び逆搬送された前記被記録媒体を前記搬送方向に再度搬送する際、前記乾燥部を駆動するよう制御することを特徴とする記録装置。
【請求項３】
請求項１又は２に記載の記録装置において、
前記制御部は、前記被記録媒体を前記搬送方向に搬送する際の搬送速度よりも前記被記録媒体を逆搬送する際の搬送速度のほうが速くなるよう前記搬送部を制御することを特徴とする記録装置。
【請求項４】
請求項１から３のいずれか１項に記載の記録装置において、
前記乾燥状態検出部は、前記被記録媒体の前記インクが吐出された記録部分に接触する接触部と、前記接触部が接触した前記記録部分に光を照射して反射光を検出する光学センサーと、を有することを特徴とする記録装置。
【請求項５】
請求項４に記載の記録装置において、
前記接触部は、逆搬送された前記被記録媒体を前記搬送方向に再度搬送する際、前記記録部分のうちの前記再度搬送する前の前記搬送方向の搬送における接触位置とは異なる位置に、接触することを特徴とする記録装置。
【請求項６】
請求項１から５のいずれか１項に記載の記録装置において、
前記乾燥部は、前記インクを乾燥させるための出力が可変であり、
前記制御部は、前記乾燥状態検出部による前記乾燥状態に応じて前記出力を制御することを特徴とする記録装置。
【請求項７】
搬送方向に搬送される被記録媒体に記録ヘッドからインクを吐出して記録する記録工程と、
前記被記録媒体に吐出された前記インクを乾燥させる乾燥工程と、
前記被記録媒体の前記インクの乾燥状態を検出する乾燥状態検出工程と、
前記乾燥状態が予め定められた閾値に達しない場合に、前記被記録媒体を前記搬送方向とは逆方向に逆搬送する逆搬送工程と、
を有することを特徴とする記録方法。
【発明の詳細な説明】
【技術分野】
【０００１】
本発明は、記録装置及び記録方法に関する。
【背景技術】
【０００２】
従来から、被記録媒体にインクを吐出して記録するインクジェット式の記録装置が使用されている。このような記録装置においては、インクにより記録がなされた被記録媒体における該インクの乾燥不良が問題となる場合があった。例えば、ロール状の被記録媒体を使用する記録装置においては、記録がなされた被記録媒体をロール状に巻き取った場合に、巻き取られたロールにおいてインクが裏移りしている場合があった。
【０００３】
このような乾燥不良を抑制するため、様々な技術が開示されている。例えば、特許文献１では、所望の画像を記録する前に、テストパターンを記録し、テストパターンに当接部材を当接させ、当接部材を当接させた状態と当接部材を当接させていない状態との違いからインクの乾燥状態を判断することが可能な記録装置が開示されている。
【先行技術文献】
【特許文献】
【０００４】
【特許文献１】特開２０１３−８６２９７号公報
【発明の概要】
【発明が解決しようとする課題】
【０００５】
しかしながら、特許文献１に開示される記録装置では、所望の画像を記録する前に、数多くのテストパターンを記録してインクの乾燥状態を判断しなければならない場合があり、ユーザーに多大な負荷をかける場合があった。  
このように、従来のインクジェット式の記録装置においては、ユーザーに多大な負荷をかけることなく簡単にインクの乾燥不良を抑制することができなかった。  
このため、インクの乾燥不良を、ユーザーに多大な負荷をかけることなく簡単に抑制することが望まれている。
【０００６】
そこで、本発明の目的は、インクにより記録がなされた被記録媒体における該インクの乾燥不良を、ユーザーに多大な負荷をかけることなく簡単に抑制することである。
【課題を解決するための手段】
【０００７】
上記課題を解決するための本発明の第１の態様の記録装置は、搬送部により搬送方向に搬送される被記録媒体に向けて記録ヘッドから吐出されたインクを乾燥させる乾燥部と、前記乾燥部より前記搬送方向下流に設けられ、前記被記録媒体の前記インクの乾燥状態を検出する乾燥状態検出部と、前記乾燥状態が予め定められた閾値に達しない場合に、前記被記録媒体を前記搬送方向とは逆方向に逆搬送するよう前記搬送部を制御する制御部と、を備えることを特徴とする。
【０００８】
ここで、「乾燥部」とは、前記インクの乾燥に寄与するものであれば特に限定はされず、赤外線ヒーター等の加熱装置のほか、ファン等の送風装置等が該当する。  
本態様によれば、前記制御部は、前記乾燥状態が予め定められた閾値に達しない場合に、前記被記録媒体を逆搬送するよう前記搬送部を制御する。すなわち、前記被記録媒体の乾燥状態が不十分である場合は、該被記録媒体を逆搬送して十分な乾燥時間を確保することを可能にする。このため、ユーザーに多大な負荷をかけることなく前記インクの乾燥不良を簡単に抑制することが可能である。  
なお、「予め定められた閾値」は、例えば、ロール状の被記録媒体を使用する記録装置における巻き取られたロールのインクの裏移りを抑制することや、ユーザーが要求する耐擦過性を有する状態になることなどの観点から、ユーザー等が予め定めておくことができるものである。また、閾値に達したか否かを判断する内容に特に限定はない。そして、「閾値に達しない場合」とは、その内容によって、閾値未満及び閾値以下である場合に限定されず、閾値を超える及び閾値以上である場合も含む意味である。例えば、その内容として数値が高くなるほど乾燥状態が不十分となることを示すデータを用いる場合は、「閾値に達しない場合」を「閾値を超える場合」又は「閾値以上である場合」とすることができる。
【０００９】
本発明の第２の態様の記録装置は、前記第１の態様において、前記制御部は、前記被記録媒体を逆搬送する際及び逆搬送された前記被記録媒体を前記搬送方向に再度搬送する際、前記乾燥部を駆動するよう制御することを特徴とする。
【００１０】
本態様によれば、前記制御部は、前記被記録媒体を逆搬送する際及び逆搬送された前記被記録媒体を前記搬送方向に再度搬送する際、前記乾燥部を駆動するよう制御する。このため、前記被記録媒体を逆搬送する際及び逆搬送された前記被記録媒体を前記搬送方向に再度搬送する際に、効率的に前記被記録媒体の前記インクを乾燥させることができる。
【００１１】
本発明の第３の態様の記録装置は、前記第１又は第２の態様において、前記制御部は、前記被記録媒体を前記搬送方向に搬送する際の搬送速度よりも前記被記録媒体を逆搬送する際の搬送速度のほうが速くなるよう前記搬送部を制御することを特徴とする。
【００１２】
前記被記録媒体を逆搬送する際は、該逆搬送する前の前記被記録媒体を前記搬送方向に搬送する際において前記乾燥部による乾燥工程が一度行われているので、該逆搬送に伴う乾燥工程に要する時間は短い場合が多い。本態様によれば、前記制御部は、前記被記録媒体を前記搬送方向に搬送する際の搬送速度よりも前記被記録媒体を逆搬送する際の搬送速度のほうが速くなるよう前記搬送部を制御する。このため、該逆搬送に伴う乾燥工程により前記被記録媒体の前記インクを確りと乾燥させるだけでなく、該逆搬送に伴う記録速度の低下を抑制することができる。
【００１３】
本発明の第４の態様の記録装置は、前記第１から第３のいずれか１つの態様において、前記乾燥状態検出部は、前記被記録媒体の前記インクが吐出された記録部分に接触する接触部と、前記接触部が接触した前記記録部分に光を照射して反射光を検出する光学センサーと、を有することを特徴とする。
【００１４】
本態様によれば、前記乾燥状態検出部は、前記被記録媒体の前記インクが吐出された記録部分に接触する接触部と、前記接触部が接触した前記記録部分に光を照射して反射光を検出する光学センサーと、を有する。このため、前記接触部が前記記録部分に接触する際の押付力を、例えば、ロール状の被記録媒体を使用する記録装置における巻き取られたロールのインクの裏移りを抑制することに対応する押付力や、ユーザーが要求する耐擦過性に対応する押付力等に設定することで、精度よく前記閾値を定めることができる。
【００１５】
本発明の第５の態様の記録装置は、前記第４の態様において、前記接触部は、逆搬送された前記被記録媒体を前記搬送方向に再度搬送する際、前記記録部分のうちの前記再度搬送する前の前記搬送方向の搬送における接触位置とは異なる位置に、接触することを特徴とする。
【００１６】
本態様によれば、前記接触部は、逆搬送された前記被記録媒体を前記搬送方向に再度搬送する際、前記記録部分のうちの前記再度搬送する前の前記搬送方向の搬送における接触位置とは異なる位置に、接触する。すなわち、前記接触部は、前記被記録媒体を再度搬送する前後で、前記記録部分のうちの異なる位置に接触する。このため、逆搬送された前記被記録媒体を前記搬送方向に再度搬送する際も、前記乾燥状態検出部は正確に前記乾燥状態を検出できる。
【００１７】
本発明の第６の態様の記録装置は、前記第１から第５のいずれか１つの態様において、前記乾燥部は、前記インクを乾燥させるための出力が可変であり、前記制御部は、前記乾燥状態検出部による前記乾燥状態に応じて前記出力を制御することを特徴とする。
【００１８】
本態様によれば、前記乾燥部は、前記インクを乾燥させるための出力が可変であり、前記制御部は、前記乾燥状態検出部による前記乾燥状態に応じて前記出力を制御する。このため、前記乾燥部の前記出力を適正化できる。  
なお、「前記インクを乾燥させるための出力」とは、例えば、前記乾燥部が赤外線ヒーター等の加熱装置である場合は加熱度合が該当し、前記乾燥部がファン等の送風装置等であれば送風度合が該当する。
【００１９】
本発明の第７の態様の記録方法は、搬送方向に搬送される被記録媒体に記録ヘッドからインクを吐出して記録する記録工程と、前記被記録媒体に吐出された前記インクを乾燥させる乾燥工程と、前記被記録媒体の前記インクの乾燥状態を検出する乾燥状態検出工程と、前記乾燥状態が予め定められた閾値に達しない場合に、前記被記録媒体を前記搬送方向とは逆方向に逆搬送する逆搬送工程と、を有することを特徴とする。
【００２０】
本態様によれば、前記乾燥状態が予め定められた閾値に達しない場合に、前記被記録媒体を逆搬送する。すなわち、前記被記録媒体の乾燥状態が不十分である場合は、該被記録媒体を逆搬送して十分な乾燥時間を確保することを可能にする。このため、ユーザーに多大な負荷をかけることなく前記インクの乾燥不良を簡単に抑制することが可能である。
【図面の簡単な説明】
【００２１】
【図１】本発明の一実施例に係る記録装置を表す概略側面図。
【図２】本発明の一実施例に係る記録装置のブロック図。
【図３】被記録媒体における乾燥状態検出位置を表す図。
【図４】被記録媒体の最初の搬送方向の搬送の際における乾燥状態の検出位置と逆搬送後に搬送方向に再度搬送する際における乾燥状態の検出位置を表すテストパターンの図。
【図５】乾燥状態が十分であるか否かを判断するための階調データを表すグラフ。
【図６】本発明の記録方法の実施例を表すフローチャート。
【発明を実施するための形態】
【００２２】
以下に、本発明の一実施例に係る記録装置について、添付図面を参照して詳細に説明する。  
［記録装置の実施例］（図１〜図５）  
最初に、本発明の一実施例に係る記録装置について説明する。  
図１は本実施例に係る記録装置１の概略側面図を表している。
【００２３】
本実施例の記録装置１は、記録を行うための被記録媒体ＰのロールＲ１を送り出すことが可能な被記録媒体Ｐのセット部２を備えている。なお、本実施例の記録装置１は被記録媒体Ｐとしてロール式の被記録媒体を使用しているが、このようなロール式の被記録媒体を使用する記録装置に限定されない。例えば、単票状の被記録媒体Ｐに記録を行うことが可能な構成であってもよい。  
本実施例の記録装置１は、被記録媒体Ｐを搬送方向Ａに搬送する際、セット部２は回転方向Ｃに回転する。なお、ロール式の被記録媒体Ｐの被記録面が内側になるように巻かれている場合は、セット部２の回転方向Ｃとは逆回転してロールＲ１を送り出すことが可能である。
【００２４】
また、本実施例の記録装置１は、被記録媒体Ｐを搬送方向Ａに搬送するための不図示の複数の搬送ローラーを備える搬送機構１１を備えている。搬送部としての該搬送機構１１には、プラテン３に支持された被記録媒体Ｐを加熱可能なプラテンヒーター５が設けられている。  
なお、本実施例のプラテンヒーター５はプラテン３と対向する位置に設けられ、被記録媒体Ｐの表面を３５℃から５０℃に加熱可能な赤外線ヒーターであるが、このようなヒーターに限定されず、プラテン３側から被記録媒体Ｐを加熱可能なヒーターを用いてもよい。ここで、好ましい赤外線の波長は０．７６〜１０００μｍである。一般的に、赤外線は波長によってさらに、近赤外線、中赤外線、遠赤外線に区分され、区分の定義は様々であるが、おおよそ波長域は、０．７８〜２．５μｍ、２．５〜４．０μｍ、４．０〜１０００μｍとなる。なかでも中赤外線を用いることが好ましい。
【００２５】
また、本実施例の記録装置１は、被記録媒体Ｐの搬送方向Ａと交差する方向Ｂに記録ヘッド４を往復走査させて記録する記録機構１２を備えている。なお、本実施例の記録装置１は、記録ヘッド４を往復走査させて記録する記録機構１２を備えているが、インクを吐出するノズルを搬送方向Ａと交差する方向に複数設けた所謂ラインヘッドを備える記録装置でもよい。  
ここで、「ラインヘッド」とは、被記録媒体Ｐの搬送方向Ａと交差する交差方向に形成されたノズルの領域が、前記交差方向全体をカバー可能なように設けられ、記録ヘッド又は被記録媒体の一方を固定し他方を移動させて画像を形成する記録装置に用いられる記録ヘッドである。なお、ラインヘッドの前記交差方向のノズルの領域は、記録装置が対応している全ての被記録媒体Ｐの前記交差方向全体をカバー可能でなくてもよい。  
また、記録ヘッドのノズル領域を、被記録媒体Ｐの搬送方向Ａと交差する交差方向全体をカバー可能なように設け、記録ヘッド又は被記録媒体の両方を移動させて画像を形成してもよい。
【００２６】
搬送機構１１及び記録機構１２の被記録媒体Ｐの搬送方向Ａにおける下流側には、乾燥部としての赤外線ヒーターで構成されるアフターヒーター７により媒体支持部６に搬送された被記録媒体Ｐを乾燥させる乾燥機構１３を備えている。アフターヒーター７は、本実施例の記録装置１で用いられるインクを乾燥させるため、被記録媒体Ｐの表面を６０℃から１２０℃に加熱可能な赤外線ヒーターであるが、このようなヒーターに限定されない。また、乾燥部としては、赤外線ヒーター等の加熱装置のほか、ファン等の送風装置等であってもよい。
【００２７】
また、乾燥機構１３には、アフターヒーター７の被記録媒体Ｐの搬送方向Ａにおける下流側に、方向Ｂ及び被記録媒体Ｐの面と交差する方向Ｄに移動可能な針状の接触部８と光を照射して反射光を検出する光学センサー９とを有する乾燥状態検出部３１が備えられている。
【００２８】
また、乾燥機構１３の被記録媒体Ｐの搬送方向Ａにおける下流側には、被記録媒体Ｐを回収するための回収部として、被記録媒体ＰをロールＲ２として巻き取り可能な巻取部１０が備えられている。なお、本実施例の記録装置１では、被記録媒体Ｐを巻き取る際、巻取部１０は回転方向Ｃに回転する。なお、ロール式の被記録媒体Ｐの被記録面が内側になるように巻きとる場合は、セット部２の回転方向Ｃとは逆回転する。  
また、本実施例の回収部は、記録がなされた被記録媒体Ｐを回収するために該被記録媒体Ｐを巻き取り可能な巻取部１０であるが、このような構成に限定されない。回収部として、ロール状の被記録媒体Ｐをロール状に巻き取る巻取部のほかに、例えば、単票状の被記録媒体をスタックする排出用受部、排紙（排出）トレイ及び排紙（排出）カセットなどと呼ばれるものを用いてもよい。
【００２９】
また、本実施例の記録装置１は、制御部１４（図２参照）の制御により、搬送機構１１の不図示の複数の搬送ローラーと、セット部２及び巻取部１０と、を記録時等の通常の搬送状態とは逆方向に駆動させ、該通常の搬送状態において被記録媒体Ｐが搬送される搬送方向Ａとは逆方向に被記録媒体Ｐを搬送する逆搬送が可能な構成になっている。  
後述するが、本実施例の制御部１４は、乾燥状態検出部３１によって検出された被記録媒体Ｐに記録ヘッド４から吐出されたインクの乾燥状態が予め定められた閾値に達しない場合に、被記録媒体Ｐを逆搬送するよう搬送機構１１等を制御する。
【００３０】
上記説明を別の表現をすると、本実施例の記録装置１は、搬送部としての搬送機構１１により搬送方向Ａに搬送される被記録媒体Ｐに向けて記録ヘッド４から吐出されたインクを乾燥させる乾燥部としてのアフターヒーター７を備えている。また、被記録媒体Ｐの搬送経路においてアフターヒーター７と記録がなされた被記録媒体Ｐを回収する回収部としての巻取部１０との間、即ちアフターヒーター７より搬送方向Ａの下流に設けられ、被記録媒体Ｐの前記インクの乾燥状態を検出する乾燥状態検出部３１を備えている。また、前記乾燥状態が予め定められた閾値に達しない場合に、被記録媒体Ｐを搬送方向Ａとは逆方向に逆搬送するよう搬送機構１１を制御する制御部１４を備えている。
【００３１】
このような構成により、本実施例の記録装置１は、被記録媒体Ｐの乾燥状態が不十分である場合は、該被記録媒体Ｐを逆搬送して十分な乾燥時間を確保している。このため、ユーザーに多大な負荷をかけることなく前記インクの乾燥不良を簡単に抑制している。  
なお、「予め定められた閾値」は、例えば、ロール状の被記録媒体Ｐを使用する記録装置１における巻き取られたロールのインクの裏移りを抑制することや、ユーザーが要求する耐擦過性を有する状態になることなどの観点から、ユーザー等が予め定めておくことができるものである。また、閾値に達したか否かを判断する内容に特に限定はない。そして、「閾値に達しない場合」とは、その内容によって、閾値未満及び閾値以下である場合に限定されず、閾値を超える及び閾値以上である場合も含む意味である。例えば、その内容として数値が高くなるほど乾燥状態が不十分となることを示すデータを用いる場合は、「閾値に達しない場合」を「閾値を超える場合」又は「閾値以上である場合」とすることができる。
【００３２】
次に、本実施例の記録装置１における電気的な構成について説明する。  
図２は、本実施例の記録装置１のブロック図である。  
制御部１４には、記録装置１の全体の制御を司るＣＰＵ１５が設けられている。ＣＰＵ１５は、システムバス１６を介して、ＣＰＵ１５が実行する各種制御プログラム等を格納したＲＯＭ１７と、データを一時的に格納可能なＲＡＭ１８と接続されている。
【００３３】
また、ＣＰＵ１５は、システムバス１６を介して、記録ヘッド４を駆動するためのヘッド駆動部１９と接続されている。  
また、ＣＰＵ１５は、システムバス１６を介して、プラテンヒーター５及びアフターヒーター７を駆動するためのヒーター駆動部２０と接続されている。
【００３４】
また、ＣＰＵ１５は、システムバス１６を介して、キャリッジモーター２２、搬送モーター２３、繰出モーター２４及び巻取モーター２５を駆動させるためのモーター駆動部２１と接続されている。  
ここで、キャリッジモーター２２は、記録ヘッド４を搭載したキャリッジを移動させるためのモーターである。また、搬送モーター２３は、搬送機構１１に設けられた不図示の複数の搬送ローラーを駆動するためのモーターである。また、繰出モーター２４は、セット部２の回転機構であり、被記録媒体Ｐを搬送機構１１に繰り出すためにセット部２を駆動するモーターである。そして、巻取モーター２５は、巻取部１０を回転させるための駆動モーターである。
【００３５】
また、ＣＰＵ１５は、システムバス１６を介して、接触部８を方向Ｂ及び方向Ｄに移動させる接触部駆動部２６と接続されている。  
さらに、ＣＰＵ１５は、システムバス１６を介して、記録データ等のデータ及び信号の送受信を行うためのＰＣ２８及び光学センサー９と接続される、入出力部２７と接続されている。
【００３６】
上記のように、本実施例の記録装置１では、制御部１４は、乾燥状態検出部３１によって検出された被記録媒体Ｐに記録ヘッド４から吐出されたインクの乾燥状態が予め定められた閾値に達しない場合に、被記録媒体Ｐを逆搬送するよう搬送機構１１等を制御する。  
次に、乾燥状態検出部３１による、被記録媒体Ｐに記録ヘッド４から吐出されたインクの乾燥状態の検出方法について説明する。
【００３７】
図３は、被記録媒体Ｐにおける乾燥状態検出部３１による乾燥状態の検出位置を表す図である。  
本実施例の記録装置１は、記録ヘッド４により、乾燥状態検出部３１による乾燥状態の検出用のテストパターンＴを、被記録媒体Ｐにおける記録画像Ｉの形成範囲に対する余白部分（被記録媒体Ｐの幅方向（方向Ｂ）の一方の端部）に、記録可能な構成になっている。なお、図３は、前記端部であって第１記録画像Ｉ１の記録が終了した箇所に第１テストパターンＴ１が記録され、前記端部であって第２記録画像Ｉ２の記録が終了した箇所に第２テストパターンＴ２が記録された状態を表している。  
なお、本実施例では、テストパターンＴを被記録媒体Ｐの幅方向（方向Ｂ）の一方の端部に記録している。該端部はアフターヒーター７からの熱が届きにくく乾燥条件が特に厳しい部分に該当するため、テストパターンＴをこの位置に記録することで、乾燥状態検出部３１による乾燥状態の検出精度は高くなる。しかしこの位置にテストパターンＴを記録する構成に限定されない。
【００３８】
そして、本実施例の記録装置１は、被記録媒体Ｐを搬送方向Ａに搬送することによりテストパターンＴの記録位置と対向可能な位置に、接触部８及び光学センサー９が設けられている。  
接触部８は、制御部１４の制御により方向Ｄに移動することにより、テストパターンＴが対向する位置にあるときは被記録媒体Ｐ（テストパターンＴ）と接触し、テストパターンＴが対向する位置にないときは被記録媒体Ｐと接触しない構成になっている。  
本実施例の記録装置１は、こうして、テストパターンＴにおける接触部８が接触した部分に、光学センサー９により光を照射して反射光を検出し、テストパターンＴのインクの乾燥状態が閾値に達したか否かを制御部１４で判断する。  
なお、接触部８は、制御部１４の制御により方向Ｂに移動可能であり、方向ＢにおけるテストパターンＴとの接触位置を調整可能な構成になっている。ただし、このような構成に限定されない。
【００３９】
このように、本実施例の記録装置１における乾燥状態検出部３１は、被記録媒体Ｐの前記インクが吐出された記録部分（テストパターンＴ）に接触する接触部８と、接触部８が接触したテストパターンＴに光を照射して反射光を検出する光学センサー９と、を有する。  
このような構成により、本実施例の記録装置１は、接触部８がテストパターンＴに接触する際の押付力を、例えば、ロール状の被記録媒体Ｐを使用する記録装置における巻き取られたロールのインクの裏移りを抑制することに対応する押付力や、ユーザーが要求する耐擦過性に対応する押付力等に設定することで、精度よく前記閾値を定めることができる。
【００４０】
また、上記のように、本実施例の記録装置１では、制御部１４は、乾燥状態検出部３１によって検出された被記録媒体Ｐのインクの乾燥状態が予め定められた閾値に達しない場合に、被記録媒体Ｐを逆搬送するよう搬送機構１１を制御する。そして、本実施例の記録装置１は、接触部８を、逆搬送された被記録媒体Ｐを搬送方向Ａに再度搬送する際、テストパターンＴのうちの前記再度搬送する前の搬送方向Ａの搬送における接触位置とは異なる位置に、接触させることができる。すなわち、接触部８を、被記録媒体Ｐを再度搬送する前後で、テストパターンＴのうちの異なる位置に接触させることができる。このため、逆搬送された被記録媒体Ｐを搬送方向Ａに再度搬送する際も、乾燥状態検出部３１は正確に前記乾燥状態を検出できる。
【００４１】
図４は、被記録媒体Ｐの最初の搬送方向Ａの搬送の際における乾燥状態の検出位置と逆搬送後に搬送方向Ａに再度搬送する際における乾燥状態の検出位置を表すテストパターンの図である。  
本実施例の記録装置１は、被記録媒体Ｐの最初の搬送方向Ａの搬送の際における乾燥状態の第１検出位置２９と、逆搬送後に搬送方向Ａに再度搬送する際における乾燥状態の第２検出位置３０とを、被記録媒体Ｐの幅方向（方向Ｂ）と、搬送方向Ａに沿う方向とに、異ならせることができる。
【００４２】
図４（Ａ）は、第１検出位置２９と第２検出位置３０とを、被記録媒体Ｐの幅方向（方向Ｂ）に異ならせた状態を表している。このような状態にする場合、本実施例の記録装置１は、制御部１４の制御により、方向Ｂに接触部８の位置を移動させることにより、被記録媒体Ｐを最初に搬送方向Ａに搬送する際と逆搬送後に搬送方向Ａに再度搬送する際とで検出位置を異ならせる。
【００４３】
一方、図４（Ｂ）は、第１検出位置２９と第２検出位置３０とを、搬送方向Ａに沿う方向に異ならせた状態を表している。このような状態にする場合、本実施例の記録装置１は、制御部１４の制御により、接触部８をテストパターンＴに接触させるタイミングを異ならせることにより、被記録媒体Ｐを最初に搬送方向Ａに搬送する際と逆搬送後に搬送方向Ａに再度搬送する際とで検出位置を異ならせる。
【００４４】
本実施例の記録装置１においては、光学センサー９は、接触部８が接触したテストパターンＴに光を照射して反射光を検出する。そして、制御部１４において、該反射光の強度から階調データを生成する。  
図５は、乾燥状態が十分であるか否かを判断するための階調データを表すグラフであり、テストパターンＴにおける方向Ｂの位置に対応する階調値を表している。なお、図５では、第１検出位置２９における乾燥状態が不十分であることを表している。
【００４５】
本実施例の記録装置１においては、テストパターンＴの記録の際にブラックインクを用いる。このため、テストパターンＴが記録された部分に光を照射して反射した反射光の強度は、被記録媒体ＰにおけるテストパターンＴが記録されていない部分に光を照射して反射した反射光の強度よりも弱くなる。このことを階調データに変換して表すと、テストパターンＴが記録された部分の階調値よりも被記録媒体ＰにおけるテストパターンＴが記録されていない部分の階調値は大きくなる。  
このため、テストパターンＴに接触部８が接触して、乾燥状態が不十分であるためにテストパターンＴに吐出されたインクの一部がとれて被記録媒体Ｐの色が透けた場合、この部分の階調値は、被記録媒体Ｐの色の透けかたが小さい乾燥状態が十分である場合と比較して、大きい階調値となる。  
したがって、この階調値を所望の値とすることにより、ユーザー等に求められる乾燥状態に対応して、この階調値の閾値を設定することができる。  
ただし、このようなインクの乾燥状態の検出方法に限定されない。例えば、光学センサー９によりテストパターンＴの光学濃度（オプティカル  デンシティ）を検出し、その光学濃度を閾値と比較する方法としてもよい。
【００４６】
本実施例では、図５において、第１検出位置２９に対応する部分における階調値は、閾値となる階調値を超えている。すなわち、乾燥状態が不十分であるため、テストパターンＴに吐出されたインクの一部が、該閾値に対応する所望の量よりも多くとれていることを表している。このため、図５の第１検出位置２９は、乾燥状態が不十分であることを表している。
【００４７】
以下に、本実施例に記録装置１の別の特徴について説明する。  
本実施例の記録装置１において、制御部１４は、被記録媒体Ｐを逆搬送する際及び逆搬送された被記録媒体Ｐを搬送方向Ａに再度搬送する際、アフターヒーター７を駆動するよう制御することができる。  
本実施例に記録装置１は、このような構成により、被記録媒体Ｐを逆搬送する際及び逆搬送された被記録媒体Ｐを搬送方向Ａに再度搬送する際に、効率的に被記録媒体Ｐの前記インクを乾燥させることができる。
【００４８】
また、本実施例の記録装置１において、制御部１４は、被記録媒体Ｐを搬送方向Ａに搬送する際の搬送速度よりも被記録媒体Ｐを逆搬送する際の搬送速度のほうが速くなるよう搬送機構１１を制御することができる。  
被記録媒体Ｐを逆搬送する際は、該逆搬送する前の被記録媒体Ｐを搬送方向Ａに搬送する際においてアフターヒーター７による乾燥工程が一度行われているので、該逆搬送に伴う乾燥工程に要する時間は短い場合が多い。このため、本実施例に記録装置１は、このような構成により、該逆搬送に伴う乾燥工程により被記録媒体Ｐの前記インクを確りと乾燥させるだけでなく、該逆搬送に伴う記録速度の低下を抑制することができる。
【００４９】
また、本実施例の記録装置１において、アフターヒーター７は、前記インクを乾燥させるための出力が可変であり、制御部１４は、乾燥状態の検出結果（階調値）に応じて前記出力を制御することができる。具体的には、階調値が高くあまり乾燥していない場合は出力を高めにし、階調値が低く十分に乾燥している場合は出力を低めにすることができる。このため、アフターヒーター７の前記出力を適正化できる。  
なお、「前記インクを乾燥させるための出力」とは、例えば、乾燥部が本実施例のアフターヒーター７ように赤外線ヒーター等の加熱装置である場合は加熱度合が該当し、前記乾燥部がファン等の送風装置等であれば送風度合が該当する。
【００５０】
［記録方法の実施例］（図６）  
次に、本実施例の記録方法について説明する。  
図６は、本実施例の記録方法を表すフローチャートである。  
なお、本実施例の記録方法は、上記実施例の記録装置１を用いて行った実施例である。
【００５１】
本実施例の記録方法では、記録装置１が記録データを入力すると、最初に、ステップＳ１１０の記録工程において、該記録データに基づく記録画像Ｉの記録及びテストパターンＴの記録を行う。詳細には、搬送機構１１により搬送方向Ａに搬送される被記録媒体Ｐに記録ヘッド４からインクを吐出して記録を行う。  
なお、本実施例の記録装置１では、乾燥状態検出用のテストパターンＴを記録画像Ｉのとは別に記録して乾燥状態検出を行う構成であるが、例えば、乾燥状態検出用のテストパターンＴを記録せず、記録画像Ｉの目立たない部分において乾燥状態検出を行う構成としてもよい。
【００５２】
次に、ステップＳ１２０の乾燥工程において、記録ヘッド４により被記録媒体Ｐに吐出されたテストパターンＴ及び記録画像Ｉのインクをアフターヒーター７により乾燥させる。
【００５３】
次に、ステップＳ１３０の乾燥状態検出工程において、乾燥状態検出部３１により、被記録媒体Ｐに吐出されたインクの乾燥状態を検出する。本ステップＳ１３０で、前記乾燥状態が予め定められた閾値に達しないと制御部１４が判断した場合はステップＳ１４０に進み、前記乾燥状態が予め定められた閾値に達していると制御部１４が判断した場合はステップＳ１５０に進む。
【００５４】
ステップＳ１４０の逆搬送工程では、被記録媒体Ｐを搬送方向Ａとは逆方向に逆搬送し、その後、被記録媒体Ｐを搬送方向Ａに再度搬送する。
【００５５】
次に、ステップＳ１５０で記録が終了したかどうかを判断し、記録が終了したと判断されるまでステップＳ１１０からステップＳ１５０を繰り返し、記録が終了したと判断した場合は本実施例に係る記録方法を終了する。
【００５６】
本実施例の記録方法によれば、被記録媒体Ｐの乾燥状態が予め定められた閾値に達しない場合に、被記録媒体Ｐを逆搬送する。すなわち、被記録媒体Ｐの乾燥状態が不十分である場合は、該被記録媒体Ｐを逆搬送して十分な乾燥時間を確保することを可能にする。このため、ユーザーに多大な負荷をかけることなく前記インクの乾燥不良を簡単に抑制することが可能である。
【符号の説明】
【００５７】
１  記録装置、２  セット部、３  プラテン、４  記録ヘッド、
５  プラテンヒーター、６  媒体支持部、７  アフターヒーター（乾燥部）、
８  接触部、９  光学センサー、１０  巻取部（回収部）、
１１  搬送機構、１２  記録機構、１３  乾燥機構、１４  制御部、１５  ＣＰＵ、
１６  システムバス、１７  ＲＯＭ、１８  ＲＡＭ、１９  ヘッド駆動部、
２０  ヒーター駆動部、２１  モーター駆動部、２２  キャリッジモーター、
２３  搬送モーター、２４  繰出モーター、２５  巻取モーター、
２６  接触部駆動部、２７  入出力部、２８  ＰＣ、２９  第１検出位置、
３０  第２検出位置、３１  乾燥状態検出部、Ｉ、Ｉ１、Ｉ２  記録画像、
Ｐ  被記録媒体、Ｒ１  被記録媒体のロール、Ｒ２  被記録媒体のロール、
Ｔ、Ｔ１、Ｔ２  テストパターン
【図１】
2015066821.tif 000003
【図２】
2015066821.tif 000004
【図３】
2015066821.tif 000005
【図４】
2015066821.tif 000006
【図５】
2015066821.tif 000007
【図６】
2015066821.tif 000008